(57)【要約】【課題】  露光ユニットの種類を正しく認識して、適正なプリントを実現するプリント装置を構成する。【解決手段】  露光ユニットＦに識別情報を出力する識別情報出力部４１を備え、制御装置Ｇには制御パラメータ保存部６４に予め保存した複数の制御パラメータから、識別情報に基づきパラメータテーブル６５に制御パラメータを保存するパラメータ設定部６３を備え、パラメータテーブル６５に保存した制御パラメータに基づいてオリジナル画像データ保存部６２に保存された画像データを変換してプリントデータ保存部６６に保存するように構成した。【選択図】        図４
2005271378.tif 000002
【特許請求の範囲】
【請求項１】
露光ユニットから照射される光線によって感光材料に対する露光を行う露光系を備えると共に、前記露光ユニットを制御し、かつ、この露光ユニットに対してデジタル信号化された画像データを伝送する制御部を備えているプリント装置であって、
予め設定された識別信号を出力する識別信号出力部を前記露光ユニットに備え、前記制御部は識別信号出力部から出力される識別信号に基づいて前記露光ユニットの種類を判別し、判別した露光ユニットに対応した制御パラメータを設定するパラメータ設定部を備えているプリント装置。
【請求項２】
前記制御部と前記露光ユニットとを接続する信号ケーブルを備え、前記パラメータ設定部は、セットアップ処理を実行することにより前記識別情報出力部からの識別信号を前記信号ケーブルを介して取得し、識別信号に基づいて複数の制御パラメータのうち対応するものを制御パラメータとして抽出するように構成されている請求項１記載のプリント装置。
【請求項３】
前記露光ユニットが、副走査方向に搬送される感光材料に対して、この副走査方向と直交する方向となる主走査方向にＲ（赤）、Ｇ（緑）、Ｂ（青）の三原色のレーザビームを走査する形態で露光を行うよう構成され、前記制御パラメータは、三原色のレーザビームの出射特性を表す数値、又は、前記感光材料の搬送速度を設定する数値として設定されている請求項１又は２記載のプリント装置。
【請求項４】
前記制御部が、コントロールユニットとプリント制御ユニットとで構成され、前記コントロールユニットは、前記露光ユニットに画像データを伝送する処理、及び、前記露光ユニットをコントロールして露光処理を行い、前記露光制御ユニットは、前記制御パラメータを設定し、かつ、この制御パラメータに基づいて変換した画像データと、プリントを実行させるプリント実行データとをコントロールユニットに出力するよう構成されている請求項１〜３のいずれか１項に記載のプリント装置。
【発明の詳細な説明】
【技術分野】
【０００１】
本発明は、露光ユニットから照射される光線によって感光材料に対する露光を行う露光系を備えると共に、前記露光ユニットを制御し、かつ、この露光ユニットに対してデジタル信号化された画像データを伝送する制御部を備えているプリント装置に関し、詳しくは、露光ユニットを識別する技術に関する。
【背景技術】
【０００２】
識別対象が露光ユニットではないが識別に関連する技術として、写真処理装置本体に対して装着されるネガキャリアが複数種存在し、夫々のネガキャリアにはディップスイッチ操作体を、そのネガキャリアに対応したパターンで備え、このネガキャリアを搬送装置本体の被連結部にはディップスイッチ操作体で操作される複数のディップスイッチを備え、搬送装置本体の被連結部にネガキャリアを装着した場合には、ディップスイッチの状態からネガキャリアの種類を識別できるものが存在する（例えば、特許文献１参照）。
【０００３】
【特許文献１】特開２００１‐２９６６２１号公報  （段落番号〔００２０〕〜〔００２８〕、図３）
【発明の開示】
【発明が解決しようとする課題】
【０００４】
露光ユニットとして、レーザビームによって印画紙（感光材料の一例）に露光を行うものを例に挙げると、従来からの露光ユニットは形状、構造が等しいものでありながら性能の異なるものが複数種存在し、このように性能が異なるものを使用する場合には、性能に対応した人為的な設定を必要としていた。
【０００５】
具体的に説明すると、この種の露光ユニットはＲ（赤）、Ｇ（緑）、Ｂ（青）の三原色のレーザ光源を備え、これらのレーザ光源からのレーザビームの光量を制御する音響光学変換素子（ＡＯＭ）を備えており、露光を行う際には、Ｒ（赤）、Ｇ（緑）、Ｂ（青）の三原色に分解したビットマップ構造の画像データからライン状の領域の画像データ（濃度データ）を読み出し、この濃度データに基づいて対応する音響光学変換素子を制御してレーザビームの光量を調節することにより、そのライン状の領域の画像データを主走査方向に露光できるものとなっている。
【０００６】
また、３種のレーザ光源の光量の値、音響光学変換素子（ＡＯＭ）の性能は夫々を製造するメーカー毎に差異があるため、この差異を吸収するためにも露光ユニットの性能毎に、スイッチを操作することで制御パラメータを設定していた。尚、この制御パラメータとして補正係数を考えた場合、画像データの転送時に、その補正係数を乗ずることや、ビットマップ構造の画像データ全体を補正係数に基づいて補正することが考えられる。
【０００７】
しかしながら、制御パラメータを人為的に設定するものでは、誤った設定を回避することができず誤りのない設定を実現する装置が望まれていた。そこで、特許文献１に記載されるもののように複数のスイッチを用いることも考えられるが、スイッチを用いるものでは機械的な作動不良や、スイッチ内部での電気的な接触不良等の原因によって誤った設定も予想されるものであり改善の余地がある。
【０００８】
本発明の目的は、露光ユニットの種類を正しく認識して、適正なプリントを実現するプリント装置を構成する点にある。
【課題を解決するための手段】
【０００９】
本発明の特徴は、露光ユニットから照射される光線によって感光材料に対する露光を行う露光系を備えると共に、前記露光ユニットを制御し、かつ、この露光ユニットに対してデジタル信号化された画像データを伝送する制御部を備えているプリント装置であって、
予め設定された識別信号を出力する識別信号出力部を前記露光ユニットに備え、前記制御部は識別信号出力部から出力される識別信号に基づいて前記露光ユニットの種類を判別し、判別した露光ユニットに対応した制御パラメータを設定するパラメータ設定部を備えている点にある。
【００１０】
この構成により、露光ユニットの識別信号出力部からの識別信号が制御部に伝えられることによって、制御部においては、その露光ユニットの種類を判別し、この判別結果に基づいて、パラメータ設定部が、露光ユニットに対応した制御パラメータを設定する。つまり、機械的に作動するスイッチ類を備えていないので、作動不良や接触不良による誤った設定を回避しながら、露光ユニットに対応した制御パラメータを設定できるのである。その結果、露光ユニットを正しく認識して、適正なプリントを実現するプリント装置が構成されたのである。
【００１１】
本発明は、前記制御部と前記露光ユニットとを接続する信号ケーブルを備え、前記パラメータ設定部は、セットアップ処理を実行することにより前記識別情報出力部からの識別信号を前記信号ケーブルを介して取得し、識別信号に基づいて複数の制御パラメータのうち対応するものを制御パラメータとして抽出するように構成しても良い。
【００１２】
この構成により、プリント装置を組み立てる際には、制御部と露光ユニットとを信号ケーブルで接続し、セットアップ処理を実行することにより識別情報出力部からの識別信号に基づいて複数の制御パラメータから識別信号に対応するものを抽出することにより、最適なパラメータを使用できる。
【００１３】
本発明は、前記露光ユニットが、副走査方向に搬送される感光材料に対して、この副走査方向と直交する方向となる主走査方向にＲ（赤）、Ｇ（緑）、Ｂ（青）の三原色のレーザビームを走査する形態で露光を行うよう構成され、前記制御パラメータは、三原色のレーザビームの出射特性を表す数値、又は、前記感光材料の搬送速度を設定する数値として設定しても良い。
【００１４】
この構成により、制御パラメータとしての三原色のレーザビームの出射特性を表す数値に基づいて、露光時のカラーバランスや明るさを適正に設定することや、制御パラメータとしての感光材料の搬送速度を設定する数値に基づいて露光時の感光材料の搬送速度を適正に設定することも可能となる。
【００１５】
本発明は、前記制御部が、コントロールユニットとプリント制御ユニットとで構成され、前記コントロールユニットは、前記露光ユニットに画像データを伝送する処理、及び、前記露光ユニットをコントロールして露光処理を行い、前記プリント制御ユニットは、前記制御パラメータを設定し、かつ、この制御パラメータに基づいて変換した画像データと、プリントを実行させるプリント実行データとをコントロールユニットに出力するよう構成しても良い。
【００１６】
この構成により、コントロールユニットによって露光ユニットを直接的に制御し、このコントロールユニットをプリント制御ユニットが制御する形態となる。つまり、露光ユニットにおいて露光を行うための機器を制御する機構を露光ユニットに備えることも考えられるが、この露光を行うための機器を、コントロールユニットとした場合には複数種の露光ユニットにコントロールユニットを共通して使用できるので、コントロールユニットだけの取り換えや露光ユニットだけの取り換えも可能となる。
【発明を実施するための最良の形態】
【００１７】
以下、本発明の実施形態を図面に基づいて説明する。
〔全体構成〕図１に示すように、現像済みの写真フィルムｆ（以下、フィルムｆと称する）の画像情報のデジタル信号化を行い、デジタル信号化された画像情報の処理を行い、システム全体の基本的な制御を行うオペレート部Ａを備えると共に、感光材料としての銀塩印画紙Ｐ（以下、印画紙Ｐと称する）に対して露光処理と現像処理とを行い、かつ、乾燥処理を行った後に送り出すプリント部Ｂとを備えることによりデジタルミニラボと称せられる写真プリント装置が構成されている。
【００１８】
〔オペレート部〕前記オペレート部Ａは、デスク状のコンソール部１に対してフィルムｆのコマ画像の情報を光電変換によりデジタル信号化して取り込むフィルムスキャナ２と、各種情報を表示するディスプレイ３と、画像処理と各種処理とを実現する汎用コンピュータで成る処理装置４とを配置し、コンソール部１の上面に情報を入力するためのキーボード５と、マウス６とを備えている。前記処理装置４にＣＤやＭＯやＦＤ等のディスク型の記憶手段からの情報を取得する、あるいは、半導体型の記憶手段からの情報を取得するよう記憶手段の構造に対応したメディアドライブ７を備え、内部に情報を保存する半導体メモリやハードディスク等（図示せず）を備えて構成されている。
【００１９】
前記フィルムスキャナ２は、下部に発光ダイオードやハロゲンランプ等を有した光源部を配置し、中間部にズームレンズを配置し、上部にズームレンズからの画像情報をＲ（赤）、Ｇ（緑）、Ｂ（青）三原色に色分解して取り込むラインＣＣＤ型の光電変換部を配置して構成されている。このフィルムスキャナ２では、フィルムｆのスキャニングを行う場合には、そのフィルムｆのサイズに適合したフィルムキャリア８を光源部の上面に装着してスキャニングを開始することにより、フィルムｆを副走査方向（長手方向）に搬送する作動と同期して光電変換部においてフィルムｆの画像情報を主走査方向に沿ってデジタル信号化して取り込む処理が行われ、このように取り込まれた画像情報は、前記処理装置４に転送され前記半導体メモリやハードディスクに保存される。
【００２０】
前記処理装置４は、ディスプレイ３に表示された情報に従って各種の処理を前記キーボード５やマウス６の操作により実現するインターフェースを具備し、更に、前述のようにスキャナ２によって取り込んだ画像情報、あるいは、前記メディアドライブ７を介して取り込まれた記憶媒体からの画像情報を前記半導体メモリやハードディスクに対して保存する処理を行い、必要な場合に画像情報をディスプレイ３に表示した状態で補正処理を行うソフトウエア、及び、画像情報とプリントサイズやプリント枚数等の処理情報を前記プリント部Ｂに伝送することによりプリント部Ｂでのプリント処理を実現するソフトウエアがインストールされている。
【００２１】
〔プリント部〕前記プリント部Ｂは、図１及び図２に示すように、露光ブロックＥｘと、現像ブロックＤｅと、乾燥ブロックＤｒとを筐体１０に収納して成ると共に、筐体１０に外部には、処理の後に筐体１０の上部から送り出される印画紙Ｐを水平方向に送る搬送ベルト１１を備え、この搬送ベルト１１から送られる印画紙Ｐをオーダ単位で仕分けて集積するよう複数のトレー１２を有したソータ１３を備え、更に、ベルト搬送機構１１の下方位置には大きいサイズの印画紙Ｐを受け止めるラック１４を備えている。
【００２２】
前記露光ブロックＥｘは、下部に２つの印画紙マガジンＭ、Ｍを配置すると共に、上部位置に露光ユニットＦを配置し、更に、中央部に制御部としての制御装置Ｇを配置している。そして、この露光ブロックＥｘでは、印画紙マガジンＭ、Ｍの一方に収納したロール状の印画紙Ｐを圧着型のアドバンスローラ１６によって引き出し、カッターユニット１７でプリントサイズに切断し、このように切断された印画紙Ｐの裏面側に印字ヘッド１８によって必要な情報をプリントし、この後、印画紙Ｐを挟持搬送するチャックユニット１９によって露光経路に送り込むよう構成されている。
【００２３】
前記露光経路では、前記チャックユニット１９からの印画紙Ｐを受取ローラ２０で受け取ると共に、この印画紙Ｐを一対の駆動ローラ２１と、これに対応する一対の従動ローラ２２とで上方（副走査方向）に搬送しながら露光位置において、前記露光ユニットＦからのレーザビームで主走査方向に露光を行うように構成されている。そして、この露光を終えた印画紙Ｐは、複数の圧着ローラ２３を備えた前搬送経路において搬送方向を水平方向に変換された後に、２つのチャッカー２４を備えた振り分け経路において２列の振り分け経路に振り分け、更に、複数の圧着ローラ２５を備えた後搬送経路から前記現像ブロックＤｅの圧着型の導入ローラ２６に受け渡すよう構成されている。
【００２４】
前記現像ブロックＤｅは、発色現像槽と漂白定着槽と安定槽とで成る複数の処理槽を一体形成した現像処理槽２７を備えると共に、夫々の現像処理槽に印画紙Ｐを供給する搬送機構２８を備えている。前記乾燥ブロックＤｒは、現像ブロックＤｅから送り出される印画紙Ｐに対してヒータで加熱された空気を供給するブロワ２９を備えている。
【００２５】
このように説明した写真プリント装置は従来からのものと基本的に変わるものではなく、本発明では露光ユニットＦの種類を制御装置Ｇで誤りなく認識して、適正なプリント処理を実現する点を特徴とするものである。
【００２６】
つまり、制御部としての前記制御装置Ｇは、図４に示すように、コントロールユニットＧ１とプリント制御ユニットＧ２とで構成され、露光ユニットＦとコントロールユニットＧ１とがコネクタ４５を有した信号ケーブル４６を介して接続され、コントロールユニットＧ１とプリント制御ユニットＧ２がコネクタ４５を有した信号ケーブル４６を介して接続されている。
【００２７】
前記露光ユニットＦは、図３に示すように、レーザビームを送り出す開口部に防塵ガラス３１を備えた密封構造となるアルミニウム合金等の軽金属合金のハウジング３２と、このハウジング３２の内部に収容したレーザ光源ユニットとで構成されている。
【００２８】
レーザ光源ユニットは、Ｒ（赤）、Ｇ（緑）、Ｂ（青）の三原色のレーザ光源３３ｒ、３３ｇ、３３ｂと、このレーザ光源３３ｒ、３３ｇ、３３ｂからのレーザビームの強度（光量）を調節する音響光学変換素子３４ｒ、３４ｇ、３４ｂと、レーザビームを反射するビームミラー３５ｒ、３５ｇ、３５ｂと、このビームミラー３５ｒ、３５ｇ、３５ｂからのレーザビームが導かれるポリゴンミラー３６と、このポリゴンミラー３６を駆動信号により同期回転するミラーモータ３７と、ポリゴンミラー３６のミラー面３６ｍで反射されたレーザビームを露光位置Ｘの印画紙Ｐに導くｆθレンズ群３８と、ポリゴンミラー３６からのレーザビームが走査端に達したタイミングをタイミングミラー３９で反射されたレーザビームから検出する同期センサ４０とを備えている。尚、レーザ光源３３を３つのレーザ光源３３ｒ、３３ｇ、３３ｂの総称とし、音響光学変換素子３４を３つの音響光学変換素子３４ｒ、３４ｇ、３４ｂの総称とする。
【００２９】
前記ポリゴンミラー３６は、前記ミラーモータ３７からの駆動力により縦向き姿勢の軸芯Ｙ周りで回転自在に支持されている。このミラーモータ３７は外部から駆動信号を供給することにより、駆動信号の周波数に対応した回転数で回転する構造のものが使用され、また、このポリゴンミラー３６は、軸芯Ｙに沿う方向視で正多角形となる外周面を平坦な鏡面に仕上ることにより複数の前記ミラー面３６ｍが形成されている。前記ｆθレンズ群３８は複数のシリンドリカルレンズで成り、ポリゴンミラー３６の回転によって主走査方向に等角度走査（一定の角速度で走査）されるレーザビームを、印画紙Ｐの感光面上で等速走査（一定の線速度で走査）するレーザビームに変換するよう機能する。
【００３０】
図４に示すように、前記露光ユニットＦには識別情報出力部４１を備えている。この識別情報出力部４１は複数ビット（例えば２ビット）で、露光ユニットＦの種類に基づき、その種類固有の識別信号を保存し、出力する機能を有するものである。具体的には、露光ユニットＦにはマイクロプロセッサ等の処理系は備えず、レーザ光源３３、音響光学変換素子３４、ミラーモータ３７の制御は前記コントロールユニットＧ１から行うように構成されているため、識別情報出力部４１から識別情報を送り出す信号系は前記信号ケーブル４６において専用の経路で構成されている。また、識別情報出力部４１は、２ビットの識別信号を出力するよう構成したものでは、専用の２つの経路（電圧印加するための経路は別途必要）に対して電圧が印加する状態と、印加しない状態（接地する状態となる）との何れかの状態に維持される単純な構造となり、当然のことながら２ビットの識別情報では４種の露光ユニットＦを識別できるものとなる。
【００３１】
前記コントロールユニットＧ１は、前記ミラーモータ３７を制御するモータ制御部５１と、露光ユニットＦのレーザ光源３３を制御する光源制御部５２と、前記同期センサ４０からの同期信号を作動基準として前記音響光学変換素子３４を制御する露光制御部５３とを備えると共に、前記識別情報出力部４１からの識別信号を中継する中継部５４を備えている。
【００３２】
前記プリント制御ユニットＧ２は、オーダデータ、画像データ、セットアップコマンド夫々の入力系が形成されると共に、オーダデータに基づいて生成したコントロールデータを保存するコントロールデータ保存部６１と、前記画像データを保存するオリジナル画像データ保存部６２と、前記セットアップコマンドが入力するパラメータ設定部６３とを備えると共に、制御パラメータ保存部６４と、パラメータテーブル６５と、プリントデータ保存部６６とを備えている。
【００３３】
前記コントロールデータ保存部６１はオーダデータに基づいてプリントを実行する制御を実現するよう機能し、前記オリジナル画像データ保存部６２は、Ｒ（赤）、Ｇ（緑）、Ｂ（青）の三原色に対応したビットマック構造の画像データを保存するよう機能し、前記パラメータテーブル６５はオリジナル画像データ保存部６２に保存された画像データを露光ユニットで露光する際に最適な構造の画像データに変換する制御パラメータを設定すると共に、変換した画像データをプリントデータ保存部６６に保存するよう機能するものであり、前記制御パラメータ保存部６４は予め設定された複数種の露光ユニットＦに対応した数の制御パラメータが保存されている。
【００３４】
このプリント制御ユニットＧ２は、図５のフローチャートに示すセットアップルーチンを実行することにより、露光ユニットＦに対応した制御パラメータをパラメータテーブル６５に保存する処理を行う。つまり、セットアップルーチンを実行した場合には、識別信号を取得するコマンドを出力することにより、パラメータ設定部６３が前記中継部５４を介して前記識別情報出力部４１からの識別情報を取得する（＃０１、＃０２ステップ）。このように識別情報を取得した後に、パラメータ設定部６３は制御パラメータ保存部６４から識別情報に対応した制御パラメータを抽出し、パラメータテーブル６５に設定する処理が行われるのである（＃０３、＃０４ステップ）。
【００３５】
このセットアップルーチンは、前記プリント制御ユニットＧ２に対して設定用の端末を接続し、この端末からセットアップコマンドを入力することにより実行できるよう構成する処理や、写真プリント装置を組立後に前記オペレート部Ａからセットアップコマンドを伝送することで実行される処理の何れの処理形態であっても良い。
【００３６】
パラメータテーブル６５に設定された制御パラメータは、露光ユニットＦで画像データの露光を行う際にレーザ光源３３の性能や特性、音響光学変換素子３４の性能や出射特性に対応して最適なプリントを行うための数値を含む補正テーブルとして捉えることが可能であり、前記オリジナル画像データ保存部６２に保存した画像データを変換して最適な構造の画像データとしてプリントデータ保存部６６に保存することを実現するものである。ちなみに、この制御パラメータとして、オリジナルの画像データは変換せずに、前記露光制御部５３で音響光学変換素子３４を駆動する際の駆動データを補正するためのパラメータとするものであっても良く、この制御パラメータとして、印画紙Ｐの搬送速度を設定するデータを含むものであっても良い。
【００３７】
このようにパラメータテーブル６５に制御パラメータが設定された状態でプリント処理を実行する際には、プリントデータ保存部６６に変換後の画像データが保存され、このように保存された画像データ（Ｒ・Ｇ・Ｂの三原色）を主走査方向に沿う１ライン単位でコントロールユニットＧ１に送ることにより、このコントロールユニットＧ１が１ライン単位の画像データを前記同期センサ４０からの信号に基づく出力タイミング毎に露光ユニットＦに送り出し主走査方向に沿う１ライン毎に露光が実行されるのである。
【００３８】
つまり、この種の写真プリント装置では、性能や特性が異なるパーツを用いた場合のように露光ユニットＦにおけるレーザビームの出射特性や露光性能や特性が異なる複数種のものを使用しなければならない状況にあるため、複数種の露光ユニットＦに対して予め識別情報を与えておき、この露光ユニットＦの識別情報を信号ケーブル４６を介して制御装置Ｇに伝える機能を備えることにより、制御装置Ｇの側において露光ユニットＦの種類を誤りなく判別し、この判別結果に基づいて適正なパラメータをセットしてプリントを実現する画像データを生成し、この画像データに基づいて単純に音響光学変換素子３４を駆動する処理を行うだけで、カラーバランスや明るさが最適なプリントを行えるものとなっている。特に、本発明によるとスイッチ類を備えていないので機械的な作動不良や電気的な接触不良に起因した誤った判別に繋がることがない。
【００３９】
また、本発明では、露光ユニットＦを構成するレーザ光源３３や音響光学変換素子３４、ミラーモータ３７をコントロールユニットＧ１が制御するので、この露光ユニットＦにマイクロプロセッサ等の高度な処理を行う機構を備えずに済み、この露光ユニットＦの構造を簡素化し、小型化も可能となる。
【００４０】
〔別実施の形態〕
本発明は、上記した実施の形態以外に以下のように構成しても良い。
【００４１】
（イ）制御部（制御装置Ｇ）を、プリント部Ｂに備えたコントロールユニットＧ１やプリント制御ユニットＧ２等の制御系と、オペレート部Ａの処理装置４との組み合わせで構成する。つまり、プリント部Ｂに備えた制御系と、オペレート部Ａの処理装置４とを通信回線を接続することにより、この処理装置４を含めた制御系で露光ユニットＦを制御できるように機能させる。これによりオペレート部Ａに備えた入力端末やディスプレイ３を利用して制御パラメータの確認を行える。
【００４２】
（ロ）露光ユニットＦの識別情報出力部４１からの識別情報を、露光ユニットＦと制御部（制御装置Ｇ）の間で情報のアクセスを行う信号経路を介して送るように構成する。このように信号経路を利用する場合には、露光ユニットＦに比較的高度の通信を実現する処理系を備えることになるが、識別情報を送るだけの通信経路を形成せずに済む。
【００４３】
（ハ）前記制御部（制御装置Ｇ）にセットされている制御パラメータや、パラメータ識別部６３で識別した識別情報を、オペレート部Ａのディスプレイ３に表示できるように構成する。このように構成することにより、プリント部Ｂや露光ユニットＦのメンテナンスを行う際や、チューニングを行う際に、露光ユニットＦの種類を正確に把握し、制御パラメータの設定の適否も容易に行えるものとなる。
【図面の簡単な説明】
【００４４】
【図１】写真プリント装置の斜視図
【図２】写真プリント装置の縦断正面図
【図３】露光ユニットの構造を示す平面図
【図４】制御系のブロック回路図
【図５】セットアップルーチンのフローチャート
【符号の説明】
【００４５】
４１          識別情報出力部
４６          信号ケーブル
６３          パラメータ設定部
Ｆ            露光ユニット
Ｇ            制御部
Ｇ１          コントロールユニット
Ｇ２          プリント制御ユニット
【図１】
2005271378.tif 000003
【図２】
2005271378.tif 000004
【図３】
2005271378.tif 000005
【図４】
2005271378.tif 000006
【図５】
2005271378.tif 000007